(57)【要約】【課題】水平面に対し傾斜した集積面上に媒体を整然と集積できるようにする。【解決手段】リジェクトカセット１６は、集積台３１の集積面３１Ｓを水平面に対し前方へ傾斜させると共に、当該集積台３１の前端に集積ガイド５０を取り付けた。リジェクトカセット１６は、放出部２２から放出された紙幣を集積面３１Ｓ又は集積紙幣ＢＬＳ上で前下方へ進行させ、集積ガイド５０に当接させて集積紙幣ＢＬＳの一部とし、当該集積紙幣ＢＬＳを集積ガイド５０により支持しながら集積面３１Ｓ上に保持する。このためリジェクトカセット１６は、集積紙幣ＢＬＳの重量増加に伴って集積台３１を当該集積紙幣ＢＬＳと共に下降させる際に、当該集積紙幣ＢＬＳを集積ガイド５０や筐体２１の前側部２１Ａに対して摺動させることが無く、摩擦力の発生を阻止して円滑に下降させることができる。【選択図】図３
2014219901.tif 000002
【特許請求の範囲】
【請求項１】
紙葉状の媒体を収納すべき収納空間内へ前記媒体を放出する放出部と、
前記収納空間内に設けられ、前記放出部から放出された前記媒体を、鉛直方向に対し傾斜した集積面上に集積する集積台と、
前記媒体を集積する集積方向に沿って前記集積台を移動させる集積台移動部と、
前記集積台に取り付けられ、前記集積面上に集積された前記媒体の下辺又はその近傍と対向する集積対向面により当該媒体を支持する集積ガイドと
を具えることを特徴とする媒体収納装置。
【請求項２】
前記集積ガイドは、
前記集積対向面に、前記媒体の下辺が下方へ滑落することを防止する滑落防止部が形成されている
ことを特徴とする請求項１に記載の媒体収納装置。
【請求項３】
前記集積ガイドは、
前記収納空間を囲む周側面と対向する対向面にローラが設けられている
ことを特徴とする請求項１に記載の媒体収納装置。
【請求項４】
前記集積ガイドは、
少なくとも前記集積台に前記紙幣が集積されていないときには前記ローラを前記周側面から引き離している
ことを特徴とする請求項３に記載の媒体収納装置。
【請求項５】
前記集積台移動部は、
前記集積台上に集積された前記媒体の質量に応じて当該集積台を集積方向に沿って下方へ移動させる
ことを特徴とする請求項１に記載の媒体収納装置。
【請求項６】
前記集積台移動部は、
前記媒体の質量に応じて伸縮する弾性体により前記集積台を集積方向に沿って下方へ移動させる
ことを特徴とする請求項５に記載の媒体収納装置。
【請求項７】
使用者から取引すべき紙葉状の媒体を取得する取得部と、
前記取得部から前記媒体を搬送する搬送部と、
前記搬送部により搬送された前記媒体を収納すべき収納空間内へ当該媒体を放出する放出部と、
前記収納空間内に設けられ、前記放出部から放出された前記媒体を、鉛直方向に対し傾斜した集積面上に集積する集積台と、
前記媒体を集積する集積方向に沿って前記集積台を移動させる集積台移動部と、
前記集積台に取り付けられ、前記集積面上に集積された前記媒体の下辺又はその近傍と対向する集積対向面により当該媒体を支持する集積ガイドと
を具えることを特徴とする媒体取引装置。
【発明の詳細な説明】
【技術分野】
【０００１】
本発明は検出装置及び媒体取引装置に関し、例えば紙幣等の媒体を投入して所望の取引を行う現金自動預払機（ＡＴＭ）等に適用して好適なものである。
【背景技術】
【０００２】
従来、金融機関やコンビニエンスストア等に設置される現金自動預払機においては、顧客との取引内容に応じて、例えば顧客に紙幣や硬貨等の現金を入金させ、また顧客へ現金を出金するようになされている。
【０００３】
現金自動預払機としては、例えば顧客との間で紙幣の授受を行う入出金部と、紙幣を搬送する搬送部と、投入された紙幣の金種及び真偽を鑑別する鑑別部と、投入された紙幣を一時的に保留する一時保留部と、金種ごとに紙幣を収納する紙幣カセットと、再使用すべきでない紙幣を収納するリジェクトカセットとを有するものが提案されている。
【０００４】
この現金自動預払機は、入金取引において、顧客が入出金部に紙幣を投入すると、投入された紙幣を搬送して鑑別部で鑑別し、正常紙幣と鑑別された紙幣を一時保留部へ収納する一方、取引すべきでないと鑑別された紙幣を入出金部へ戻して顧客に返却する。
【０００５】
続いて現金自動預払機は、顧客により入金金額が確定されると、一時保留部に収納している紙幣を繰り出してその金種を鑑別部により再鑑別し、鑑別された金種に応じて各紙幣カセットに収納すると共に、損傷の程度が大きいと鑑別された紙幣をリジェクトカセットに収納する。
【０００６】
このリジェクトカセットとしては、例えば水平面に対し傾斜された載置台上に紙幣を集積することにより、紙幣の紙面を水平に向けて集積する場合よりも専有面積を縮小し、現金自動預払機の小型化に寄与するようになされたものが提案されている（例えば、特許文献１参照）。
【０００７】
例えば図１３（Ａ）に示す従来のリジェクトカセット５１６は、筐体２１の上側に紙幣を放出する放出部２２を有すると共に、該筐体２１の内部に形成された内部空間２１Ｓ内に集積台３１を有している。
【０００８】
この集積台３１は、その上面である集積面３１Ｓが水平面に対し傾斜されており、この集積面３１Ｓに紙幣の紙面を対向させるようにして紙幣を上下方向に集積する。また集積台３１は、図示しない移動軸に沿って上下方向に移動し得るようになされ、且つ集積スプリング３３により下方から支持されている。
【０００９】
また筐体２１における前側部２１Ａの内側には、集積面３１Ｓ上に集積された紙幣（以下これを集積紙幣ＢＬＳと呼ぶ）の前側端部を突き当てさせるための紙幣突当部５４０が取り付けられている。
【００１０】
集積スプリング３３は、集積台３１上に集積された集積紙幣ＢＬＳの重量に応じて圧縮され、図１３（Ｂ）に示すように、集積台３１及び集積紙幣ＢＬＳを徐々に下方へ移動させる。これにより従来のリジェクトカセット５１６は、集積紙幣ＢＬＳの最上面と内部空間２１Ｓの上部に形成された上部ガイド２９と集積台３１の間にほぼ一定の間隔（以下これを集積間隔ＤＣと呼ぶ）を確保でき、紙幣を順次集積することができる。
【先行技術文献】
【特許文献】
【００１１】
【特許文献１】特開２０１２−４６３０１号公報（第６図等）
【発明の概要】
【発明が解決しようとする課題】
【００１２】
しかしながら、かかる構成のリジェクトカセット５１６では、集積紙幣ＢＬＳに重力が作用することにより、当該集積紙幣ＢＬＳから集積面３１Ｓ及び紙幣突当部５４０の双方に力が加えられる。
【００１３】
このためリジェクトカセット５１６では、集積紙幣ＢＬＳと紙幣突当部５４０との間に摩擦力が発生し、集積台３１Ｓ及び集積紙幣ＢＬＳの下方への移動が阻害されることになる。
【００１４】
この結果リジェクトカセット５１６では、集積紙幣ＢＬＳの最上面と上部ガイド２９との間に集積間隔ＤＣを確保することができず、放出部２２から新たに放出される紙幣と集積紙幣ＢＬＳとの衝突等により当該紙幣を詰まらせてしまい、紙幣を適切に集積することができなくなる、という問題があった。
【００１５】
本発明は以上の点を考慮してなされたもので、水平面に対し傾斜した集積面上に媒体を整然と集積し得る媒体集積装置及び媒体取引装置を提案しようとするものである。
【課題を解決するための手段】
【００１６】
かかる課題を解決するため本発明の媒体収納装置においては、紙葉状の媒体を収納すべき収納空間内へ媒体を放出する放出部と、収納空間内に設けられ、放出部から放出された媒体を、鉛直方向に対し傾斜した集積面上に集積する集積台と、媒体を集積する集積方向に沿って集積台を移動させる集積台移動部と、集積台に取り付けられ、集積面上に集積された媒体の下辺又はその近傍と対向する集積対向面により当該媒体を支持する集積ガイドとを設けるようにした。
【００１７】
また本発明の媒体取引装置においては、使用者から取引すべき紙葉状の媒体を取得する取得部と、取得部から媒体を搬送する搬送部と、搬送部により搬送された媒体を収納すべき収納空間内へ当該媒体を放出する放出部と、収納空間内に設けられ、放出部から放出された媒体を、鉛直方向に対し傾斜した集積面上に集積する集積台と、媒体を集積する集積方向に沿って集積台を移動させる集積台移動部と、集積台に取り付けられ、集積面上に集積された媒体の下辺又はその近傍と対向する集積対向面により当該媒体を支持する集積ガイドとを設けるようにした。
【００１８】
本発明は、放出部から放出された紙幣が集積面上に集積されてなる集積紙幣の下辺を集積ガイドの集積対向面に当接させて支持することにより、収納空間を囲む周側面に集積紙幣を摺動させること無く、集積台及び集積紙幣を円滑に下降させることができる。
【発明の効果】
【００１９】
本発明によれば、放出部から放出された紙幣が集積面上に集積されてなる集積紙幣の下辺を集積ガイドの集積対向面に当接させて支持することにより、収納空間を囲む周側面に集積紙幣を摺動させること無く、集積台及び集積紙幣を円滑に下降させることができる。かくして本発明は、水平面に対し傾斜した集積面上に媒体を整然と集積し得る媒体集積装置及び媒体取引装置を実現できる。
【図面の簡単な説明】
【００２０】
【図１】現金自動預払機の構成を示す略線的斜視図である。
【図２】紙幣入出金機の構成を示す略線図である。
【図３】第１の実施の形態によるリジェクトカセットの構成を示す略線図である。
【図４】第１の実施の形態によるリジェクトカセットの構成を示す略線的斜視図である。
【図５】第２の実施の形態によるリジェクトカセットの構成を示す略線図である。
【図６】第２の実施の形態によるリジェクトカセットの構成を示す略線的斜視図である。
【図７】集積ガイドと前側部との当接を示す略線図である。
【図８】第３の実施の形態によるリジェクトカセットの構成を示す略線図である。
【図９】第３の実施の形態によるリジェクトカセットの構成を示す略線的斜視図である。
【図１０】第４の実施の形態によるリジェクトカセットの構成を示す略線図である。
【図１１】第４の実施の形態によるリジェクトカセットの構成を示す略線的斜視図である。
【図１２】第４の実施の形態によるリジェクトカセットの構成を示す略線図である。
【図１３】従来のリジェクトカセットの構成を示す略線図である。
【発明を実施するための形態】
【００２１】
以下、発明を実施するための形態（以下実施の形態とする）について、図面を用いて説明する。
【００２２】
［１．第１の実施の形態］
［１−１．現金自動預払機の全体構成］
図１に外観を示すように、現金自動預払機１は、箱状の筐体２を中心に構成されており、例えば金融機関等に設置され、顧客との間で入金取引や出金取引等の現金に関する取引を行うようになされている。
【００２３】
筐体２は、その前側に顧客が対峙した状態で紙幣ＢＬの投入やタッチパネルによる操作等をしやすい箇所、すなわち前面の上部から上面に渡る部分が斜めに切り落とされたような形状となっており、この部分に接客部３が設けられている。
【００２４】
接客部３は、顧客との間で現金や通帳等を直接やり取りすると共に、取引に関する情報の通知や操作指示の受付を行うようになされており、カード入出口４、入出金口５、操作表示部６、テンキー７、及びレシート発行口８が設けられている。
【００２５】
カード入出口４は、キャッシュカード等の各種カードが挿入または排出される部分である。カード入出口４の奥側には、各種カードに磁気記録された口座番号等の読み取りを行うカード処理部（図示せず）が設けられている。
【００２６】
入出金口５は、顧客が入金する紙幣ＢＬが投入されると共に、顧客へ出金する紙幣ＢＬが排出される部分である。また入出金口５は、シャッタを駆動することにより開放又は閉塞するようになされている。因みに紙幣ＢＬは、例えば長方形の紙で構成されている。
【００２７】
操作表示部６は、取引に際して操作画面を表示するＬＣＤ（Liquid Crystal Display）と、取引の種類の選択、暗証番号や取引金額等を入力するタッチセンサとが一体化されたタッチパネルとなっている。
【００２８】
テンキー７は、「０」〜「９」の数字等の入力を受け付ける物理キーであり、暗証番号や取引金額等の入力操作時に用いられる。
【００２９】
レシート発行口８は、取引処理の終了時に取引内容等を印字したレシートを発行する部分である。因みにレシート発行口８の奥側には、レシートに取引内容等を印字するレシート処理部（図示せず）が設けられている。
【００３０】
以下では、現金自動預払機１のうち顧客が対峙する側を前側とし、その反対を後側とし、当該前側に対峙した顧客から見て左及び右をそれぞれ左側及び右側とし、さらに上側及び下側を定義して説明する。
【００３１】
筐体２内には、現金自動預払機１全体を統括制御する主制御部９や、紙幣に関する種々の処理を行う紙幣入出金機１０等が設けられている。
【００３２】
主制御部９は、図示しないＣＰＵ（Central Processing Unit）を中心に構成されており、図示しないＲＯＭやフラッシュメモリ等から所定のプログラムを読み出して実行することにより、入金取引や出金取引等の種々の処理を行うようになされている。
【００３３】
また主制御部９は、内部にＲＡＭ（Random Access Memory）、ハードディスクドライブやフラッシュメモリ等でなる記憶部を有しており、この記憶部に種々の情報を記憶させるようになされている。
【００３４】
因みに筐体２は、前面側やその後面側等の一部の側面が開閉可能な扉により構成されている。すなわち筐体２は、顧客との間で現金に関する取引を行う取引動作時には、図１に示したように各扉を閉塞することにより、紙幣入出金機１０内に収納している紙幣を保護する。一方筐体２は、作業者等が保守作業を行う保守作業時には、必要に応じて各扉を開放することにより、内部の各部に対する作業を容易に行わせ得るようになされている。
【００３５】
紙幣入出金機１０は、図２に側面図を示すように、内部に紙幣に関する種々の処理を行う複数の部分が組み込まれている。また紙幣入出金機１０の各部分は、紙幣制御部１１により制御されるようになされている。
【００３６】
紙幣制御部１１は、主制御部９と同様、図示しないＣＰＵを中心に構成されており、図示しないＲＯＭやフラッシュメモリ等から所定のプログラムを読み出して実行することにより、紙幣の搬送先を決定する処理等、種々の処理を行うようになされている。
【００３７】
また紙幣制御部１１は、内部にＲＡＭ及びフラッシュメモリ等でなる記憶部を有しており、この記憶部に種々の情報を記憶させるようになされている。
【００３８】
紙幣制御部１１は、例えば顧客が紙幣を入金する入金取引を行う場合、操作表示部６（図１）を介して所定の操作入力を受け付けた後、シャッタを開いて入出金部１２内に形成された収容空間１２Ａへ紙幣を投入させる。
【００３９】
入出金部１２は、収容空間１２Ａに紙幣が投入されると、シャッタを閉じて当該収容空間１２Ａ内から紙幣を１枚ずつ繰り出し、搬送部１３へ受け渡す。搬送部１３は、複数のローラやベルト等により構成されており、長方形の紙葉状に構成された紙幣を短辺方向に沿って進行させ、鑑別部１４へ搬送する。
【００４０】
鑑別部１４は、その内部で紙幣を搬送しながら、光学素子や磁気検出素子等を用いて当該紙幣の金種及び真偽、並びに損傷の程度等を鑑別し、その鑑別結果を紙幣制御部１１へ通知する。これに応じて紙幣制御部１１は、取得した鑑別結果に基づいて当該紙幣の搬送先を決定する。
【００４１】
このとき搬送部１３は、鑑別部１４において正常紙幣と鑑別された紙幣を一時保留部１５へ搬送する等して一時的に保留させる一方、取引すべきでないと鑑別されたリジェクト紙幣を入出金部１２へ搬送して顧客に返却する。
【００４２】
その後紙幣制御部１１は、操作表示部６を介して顧客に入金金額を確定させ、一時保留部１５に保留している紙幣を搬送部１３により鑑別部１４へ搬送してその金種及び損傷の程度等を鑑別させ、その鑑別結果を取得する。
【００４３】
そして紙幣制御部１１は、紙幣の損傷の程度が大きければ、これを再利用すべきでない紙幣として搬送部１３によりリジェクトカセット１６へ搬送して収納させ、損傷の程度が小さければ、これを再利用すべき紙幣として搬送部１３により搬送させ、その金種に応じた紙幣カセット１７に収納させるようになされている。
【００４４】
また紙幣制御部１１は、例えば顧客が紙幣を出金する出金取引を行う場合、操作表示部６（図１）を介して所定の操作入力を受け付けた後、出金すべき金額に応じた紙幣を紙幣カセット１７から繰り出させ、搬送部１３により鑑別部１４へ搬送させる。
【００４５】
続いて紙幣制御部１１は、この紙幣を鑑別部１４により鑑別させた上で、搬送部１３により入出金部１２へ搬送して収容空間１２Ａ内に集積させ、入出金口５（図１）のシャッタを開いて顧客に取り出させる。
【００４６】
このようにリジェクトカセット１６は、損傷の程度が大きく再利用されないリジェクト紙幣が搬送部１３により搬送されてくると、これを内部に収納するようになされている。
【００４７】
［１−２．リジェクトカセットの構成］
次に、リジェクトカセット１６の構成について説明する。図３（Ａ）及び図４に示すように、リジェクトカセット１６は、全体として直方体状に構成された筐体２１内に複数の部品が取り付けられている。
【００４８】
因みに図３は、リジェクトカセット１６を左側から見た側面図を表し、図４はその一部の部品を左前方の上寄りから見下ろした斜視図を表している。なお説明の都合上、図３及び図４では、各部品を簡略化しており、さらに一部の部品を省略し、或いは透過させて表している。
【００４９】
筐体２１（図３）は、前後、上下及び左右の各側面をほぼ閉塞しており、その内部に収納空間としての内部空間２１Ｓを形成している。内部空間２１Ｓは、左右方向から見て前側面及び後側面をそれぞれ上底及び下底とする台形状に形成されている。
【００５０】
筐体２１内の上側には、搬送部１３から搬送されてきた紙幣を内部空間２１Ｓ内へ放出する放出部２２が設けられている。放出部２２には、紙幣を案内する搬送ガイド２３及び２４により前後から挟まれるように、上下方向に沿った搬送路２５が形成されている。
【００５１】
搬送ガイド２３は、搬送路２５の後ろ側に位置しており、上下方向の長さが比較的短くなっている。また搬送ガイド２３には、円柱状の駆動ローラ２６が設けられている。
【００５２】
駆動ローラ２６は、中心軸を左右方向に向けており、搬送ガイド２３に穿設された孔部から周側面の一部を搬送路２５側に露出させている。また駆動ローラ２６は、図示しないアクチュエータから駆動力が伝達されることにより、矢印Ｒ１方向へ回転する。
【００５３】
搬送ガイド２４は、搬送路２５の前側に位置しており、上下方向の長さが比較的長くなっている。また搬送ガイド２４には、円柱状のアイドルローラ２７が設けられている。
【００５４】
アイドルローラ２７は、駆動ローラ２６と同様に中心軸を左右方向に向けており、この駆動ローラ２６と対向する高さにおいて、搬送ガイド２４に穿設された孔部から周側面の一部を搬送路２５側に露出させている。またアイドルローラ２７は、自在に回転するようになされており、駆動ローラ２６が矢印Ｒ１方向へ回転すると、これに伴って矢印Ｒ２方向へ回転する。
【００５５】
かかる構成により放出部２２は、上側に位置する搬送部１３（図２）から、短辺方向を進行方向とする紙幣が搬送されてくると、互いに対向する駆動ローラ２６及びアイドルローラ２７によりこの紙幣を挟持する。
【００５６】
続いて放出部２２は、駆動ローラ２６を回転させることにより、挟持している紙幣を搬送路２５に沿って下方へ搬送し、その後内部空間２１Ｓ内へ放出するようになされている。
【００５７】
一方、筐体２１内における放出部２２の下方には、集積台３１が設けられている。集積台３１は、上下方向に薄く左右方向に長い板状の部材を左方向から見て時計方向に所定の傾斜角度θだけ傾斜させたような構成となっている。このため集積台３１の上面である集積面３１Ｓは、水平面に対し傾斜角度θだけ前方へ傾斜している。
【００５８】
集積台３１は、放出部２２から放出された紙幣を、水平面に対し傾斜角度θだけ前方へ傾斜した集積面３１Ｓ、又はこの集積面３１Ｓ上に既に集積されている紙幣（以下これを集積紙幣ＢＬＳと呼ぶ）の上に載せる。
【００５９】
ところで筐体２１の内部空間２１Ｓ内における左右それぞれには、図４に示すように、細長い円柱状でなりその中心軸を上下方向に向けた移動軸３２が設けられている。
【００６０】
一方、集積台３１は、図４に示すように、左右それぞれに移動ガイド３１Ａが取り付けられている。移動ガイド３１Ａは、上下方向に貫通する軸孔が穿設されている。この軸孔は、移動軸３２の直径よりも僅かに大きい直径の丸孔となっており、当該移動軸３２が挿通されている。
【００６１】
かかる構成により集積台３１は、移動ガイド３１Ａの軸孔を移動軸３２に摺動させながら、内部空間２１Ｓ内を移動軸３２に沿って上下方向に移動することができる。
【００６２】
集積台３１は、内部空間２１Ｓ内で最も上側に位置する場合、その後ろ上端部を搬送ガイド２３の下面に当接させる。このとき集積台３１は、搬送ガイド２４の下前方に延設された上部ガイド２９と集積面３１Ｓとの間に、所定の集積間隔ＤＣを空ける。
【００６３】
また集積台３１は、左右の集積スプリング３３を介して筐体２１の底部に支持されている。集積スプリング３３は、いわゆるコイルスプリングとなっており、図４に示したように、移動軸３２の周囲を取り囲むように取り付けられている。
【００６４】
集積台３１に紙幣が載置されていない場合（図３（Ａ））、集積スプリング３３は、当該集積台３１を最も上側へ持ち上げ、当該集積台３１の後端最上部を搬送ガイド２４の下面に当接させ、集積面３１Ｓを上部ガイド２９から集積間隔ＤＣだけ引き離す。
【００６５】
一方、集積台３１に紙幣が載置された場合、集積スプリング３３は、図３（Ｂ）に示すように、載置された紙幣（すなわち集積紙幣ＢＬＳ）の重量に応じて圧縮される。ここで集積スプリング３３は、集積紙幣ＢＬＳの最上面と上部ガイド２９との間隔をほぼ集積間隔ＤＣに保つよう、ばね定数等が適切に選定されている。
【００６６】
かかる構成に加えて、集積台３１の前側には、２本の集積ガイド５０が取り付けられている。
【００６７】
各集積ガイド５０は、上下方向に長く前後方向に薄い直方体状に構成されており、その下端近傍において集積台３１の前端に、互いの間に所定の間隔を空けるよう左右に並べて取り付けられている。
【００６８】
このため集積ガイド５０は、集積台３１の集積面３１Ｓ上に集積されると共に重力の作用により当該集積面３１Ｓ上で前下方へ滑り落ちようとする集積紙幣ＢＬＳを、当該集積台３１上に集積された状態に支持することができる。
【００６９】
また集積ガイド５０は、集積台３１が上下方向へ移動される際に、当該集積台３１及び集積紙幣ＢＬＳと一体に上下方向へ移動する。換言すれば、集積ガイド５０は、集積台３１及び集積紙幣ＢＬＳが上下方向へ移動する際に当該集積紙幣ＢＬＳと摺動すること無く、当該集積紙幣ＢＬＳを支持し続ける。
【００７０】
このようにリジェクトカセット１６は、紙幣を放出する放出部２２や水平面に対し傾斜された集積面３１Ｓを有する集積台３１に加えて、当該集積台３１の前側に集積ガイド５０が設けられている。
【００７１】
［１−３．動作及び効果］
以上の構成において、第１の実施の形態によるリジェクトカセット１６は、集積台３１の水平面に対し集積面３１Ｓを前方へ傾斜させると共に、その前端に集積ガイド５０を取り付けた。
【００７２】
リジェクトカセット１６は、搬送部１３から紙幣ＢＬが搬送されると、放出部２２によりこれを下方へ搬送した上で内部空間２１Ｓ内へ放出する。
【００７３】
ここで放出された紙幣ＢＬは、その先端を集積台３１の集積面３１Ｓ又は集積紙幣ＢＬＳの最上面に当接させ、傾斜面の下側である前下方へ向ける。続いて紙幣ＢＬは、放出部２２により放出された際の勢い及び重力の作用により、集積面３１Ｓ又は集積紙幣ＢＬＳの最上面に沿って前下方へ進行し、集積ガイド５０に当接して静止する。これにより紙幣ＢＬは、集積面３１Ｓ又は集積紙幣ＢＬＳの上に集積され、当該集積紙幣ＢＬＳの一部となる。
【００７４】
集積台３１上の集積紙幣ＢＬＳは、集積面３１Ｓが傾斜されているため、当該集積台３１に対し常に前下方へ滑り降りようするものの、その前端、すなわち下辺が集積ガイド５０に支持されるため、集積面３１Ｓ上に集積された状態に止まる。
【００７５】
また集積スプリング３３は、集積台３１上の集積紙幣ＢＬＳの重量が増加したことにより圧縮され、当該集積台３１及び集積紙幣ＢＬＳを下降させようとする。
【００７６】
このとき集積紙幣ＢＬＳは、集積ガイド５０により支持されながら集積台３１上に載置されているため、集積ガイド５０に対する位置を保ったまま、当該集積ガイド５０に対して摺動すること無く下降することができる。また集積紙幣ＢＬＳは、集積ガイド５０により支持されているため、筐体２１の前側部２１Ａに当接することが無く、集積面３１Ｓ上から前下方へ滑り落ちることも無い。
【００７７】
この結果リジェクトカセット１６は、集積紙幣ＢＬＳの最上面と上部ガイド２９との間隔をほぼ集積間隔ＤＣに保つことができ、次に放出される紙幣ＢＬを詰まらせること無く集積紙幣ＢＬＳの上に集積させることができる。
【００７８】
以上の構成によれば、第１の実施の形態によるリジェクトカセット１６は、集積台３１の集積面３１Ｓを水平面に対し前方へ傾斜させると共に、当該集積台３１の前端に集積ガイド５０を取り付けた。リジェクトカセット１６は、放出部２２から放出された紙幣を集積面３１Ｓ又は集積紙幣ＢＬＳ上で前下方へ進行させ、集積ガイド５０に当接させて集積紙幣ＢＬＳの一部とし、当該集積紙幣ＢＬＳを集積ガイド５０により支持しながら集積面３１Ｓ上に保持する。このためリジェクトカセット１６は、集積紙幣ＢＬＳの重量増加に伴って集積台３１を当該集積紙幣ＢＬＳと共に下降させる際に、当該集積紙幣ＢＬＳを集積ガイド５０や筐体２１の前側部２１Ａに対して摺動させることが無く、摩擦力の発生を阻止して円滑に下降させることができる。
【００７９】
［２．第２の実施の形態］
第２の実施の形態では、第１の実施の形態によるリジェクトカセット１６に代えて、図３及び図４とそれぞれ対応する図５及び図６に示すリジェクトカセット１１６が用いられる。
【００８０】
リジェクトカセット１１６は、第１の実施の形態によるリジェクトカセット１６と比較して、集積ガイド５０に代わる集積ガイド１５０を有する点が相違するものの、他の部分については同様に構成されている。
【００８１】
集積ガイド１５０は、基板１５１を中心に構成されている。基板１５１は、上下方向に細長い中空の直方体状に形成されており、その後面、左面、右面、上面及び下面がいずれも閉塞される一方、その前面が大きく開放されている。
【００８２】
基板１５１の前側における上端近傍及び下端近傍には、それぞれローラ１５２が設けられている。ローラ１５２は、比較的小さな円柱状に形成され、その中心軸を左右方向に向けており、基板１５１に対し円滑に回転できるように取り付けられている。
【００８３】
またローラ１５２は、後側のほぼ半分を基板１５１内に埋め込んで前側のほぼ半分を露出させると共に、その前方に位置する筐体２１の前側部２１Ａに対し所定の間隔を空けている。
【００８４】
以上の構成において、第２の実施の形態によるリジェクトカセット１１６は、集積台３１の水平面に対し集積面３１Ｓを前方へ傾斜させると共に、その前端に集積ガイド１５０を取り付けた。集積ガイド１５０には、基板１５１の前面における上端近傍及び下端近傍にそれぞれローラ１５２を設けた。
【００８５】
リジェクトカセット１１６は、搬送部１３から紙幣ＢＬが搬送されると、第１の実施の形態と同様、放出部２２によりこれを下方へ搬送した上で内部空間２１Ｓ内へ放出し、集積面３１Ｓ又は集積紙幣ＢＬＳの上に集積して、当該集積紙幣ＢＬＳの一部とする。
【００８６】
集積台３１上の集積紙幣ＢＬＳは、集積面３１Ｓが傾斜されているため、当該集積台３１に対し常に前下方へ滑り降りようするものの、集積ガイド１５０に支持されるため、第１の実施の形態と同様、集積面３１Ｓ上に集積された状態に止まる。
【００８７】
また集積スプリング３３は、集積台３１上の集積紙幣ＢＬＳの重量が増加したことにより圧縮され、当該集積台３１及び集積紙幣ＢＬＳを下降させようとする。
【００８８】
このとき集積紙幣ＢＬＳは、第１の実施の形態と同様、集積ガイド１５０により支持されながら集積台３１上に載置されているため、当該集積ガイド１５０に対して摺動すること無く、筐体２１の前側部２１Ａに当接することも無く、さらに集積面３１Ｓ上から前下方へ滑り落ちることも無く、円滑に下降することができる。
【００８９】
ところでリジェクトカセット１１６は、図６に示したように、移動ガイド３１Ａの軸孔に挿通された移動軸３２に沿って集積台３１を上下方向へ移動させており、また集積ガイド１５０におけるローラ１５２の前端と筐体２１の前側部２１Ａとの間に隙間を形成している。
【００９０】
このためリジェクトカセット１１６は、理想的には集積ガイド１５０を前側部２１Ａから引き離したまま上下方向に移動させることができる。
【００９１】
しかしながらリジェクトカセット１１６では、集積台３１、移動ガイド３１Ａ、移動軸３２及び集積ガイド１５０が剛性の不足等により撓むことや、これらの部品同士の間に製造誤差等に伴う隙間を生じることがある。また集積紙幣ＢＬＳは、枚数の増加に伴いその重量が極めて大きくなる。
【００９２】
このためリジェクトカセット１１６では、前後方向に関し、特に移動ガイド３１Ａに対する移動軸３２の挿通位置よりも集積紙幣ＢＬＳの重心位置が前方にある場合、図７に示すように、集積台３１、集積ガイド１５０及び集積紙幣ＢＬＳの上側を前方へ倒すように傾くことがある。
【００９３】
このとき集積ガイド１５０は、筐体２１の前側部２１Ａに当接することになるものの、最も前側に位置するローラ１５２の周側面を前側部２１Ａに当接させる。
【００９４】
このためリジェクトカセット１１６は、集積台３１を集積紙幣ＢＬＳ及び集積ガイド１５０と一体に下降させる際に、前側部２１Ａに当接するローラ１５２を回転させることができるので、摩擦力や抵抗力を殆ど生じることなく、円滑に下降させることができる。
【００９５】
この結果リジェクトカセット１１６は、第１の実施の形態と同様、集積紙幣ＢＬＳの最上面と上部ガイド２９との間隔をほぼ集積間隔ＤＣに保つことができ、次に放出される紙幣ＢＬを詰まらせること無く集積紙幣ＢＬＳの上に集積させることができる。
【００９６】
以上の構成によれば、第２の実施の形態によるリジェクトカセット１１６は、放出部２２から放出された紙幣を、水平面に対し傾斜された集積面３１Ｓ又は集積紙幣ＢＬＳ上で前下方へ進行させ、集積台３１の前端に取り付けられた集積ガイド１５０に当接させて集積紙幣ＢＬＳの一部とし、当該集積紙幣ＢＬＳを集積ガイド１５０により支持しながら集積面３１Ｓ上に保持する。このためリジェクトカセット１１６は、集積紙幣ＢＬＳの重量増加に伴って集積台３１を当該集積紙幣ＢＬＳと共に下降させる際に、当該集積紙幣ＢＬＳを集積ガイド１５０や筐体２１の前側部２１Ａに対して摺動させることが無く、さらに集積ガイド１５０が前側部２１Ａに当接したとしてもローラ１５２を回転させることができ、摩擦力の発生を阻止して円滑に下降させることができる。
【００９７】
［３．第３の実施の形態］
第３の実施の形態では、第１の実施の形態によるリジェクトカセット１６に代えて、図３及び図４とそれぞれ対応する図８及び図９に示すリジェクトカセット２１６が用いられる。
【００９８】
リジェクトカセット２１６は、第１の実施の形態によるリジェクトカセット１６と比較して、集積ガイド５０に代わる集積ガイド２５０を有する点が相違するものの、他の部分については同様に構成されている。
【００９９】
集積ガイド２５０は、基板２５１を中心に構成されている。基板２５１は、上下方向に細長い直方体状に形成されており、その後面にビルストッパ２５２が形成されている。
【０１００】
滑落防止部としてのビルストッパ２５２は、その後側表面に、左右方向への投影形状を鋸歯状とするような、すなわち上下方向に関し小さな段差が繰り返し出現するような形状に形成されている。
【０１０１】
以上の構成において、第３の実施の形態によるリジェクトカセット２１６は、集積台３１の水平面に対し集積面３１Ｓを前方へ傾斜させると共に、その前端に集積ガイド２５０を取り付けた。集積ガイド２５０には、基板２５１の後面に段差状のビルストッパ２５２を設けた。
【０１０２】
リジェクトカセット２１６は、搬送部１３から紙幣ＢＬが搬送されると、第１の実施の形態と同様、放出部２２によりこれを下方へ搬送した上で内部空間２１Ｓ内へ放出する。
【０１０３】
ここで放出された紙幣ＢＬは、その先端を集積台３１の集積面３１Ｓ又は集積紙幣ＢＬＳの最上面に当接させ、傾斜面の下側である前下方へ向ける。続いて紙幣ＢＬは、放出部２２により放出された際の勢いや重力の作用等により、集積面３１Ｓ又は集積紙幣ＢＬＳの最上面に沿って前下方へ進行し、やがてビルストッパ２５２に当接して静止する。
【０１０４】
これにより紙幣ＢＬは、集積面３１Ｓ又は集積紙幣ＢＬＳの上に集積され、当該集積紙幣ＢＬＳの一部となる。すなわち集積紙幣ＢＬＳは、集積面３１Ｓ上で上下方向を集積方向として複数の紙幣ＢＬが集積されることにより形成される。
【０１０５】
集積台３１上の集積紙幣ＢＬＳは、集積面３１Ｓが傾斜されているため、当該集積台３１に対し常に前下方へ滑り降りようするものの、集積ガイド２５０に支持されるため、第１の実施の形態と同様、集積面３１Ｓ上に集積された状態に止まる。
【０１０６】
また集積スプリング３３は、集積台３１上の集積紙幣ＢＬＳの重量が増加したことにより圧縮され、当該集積台３１及び集積紙幣ＢＬＳを下降させようとする。
【０１０７】
このとき集積紙幣ＢＬＳは、第１の実施の形態と同様、集積ガイド２５０により支持されながら集積台３１上に載置されているため、当該集積ガイド２５０に対して摺動すること無く、筐体２１の前側部２１Ａに当接することも無く、さらに集積面３１Ｓ上から前下方へ滑り落ちることも無く、円滑に下降することができる。
【０１０８】
この結果リジェクトカセット２１６は、第１の実施の形態と同様、集積紙幣ＢＬＳの最上面と上部ガイド２９との間隔をほぼ集積間隔ＤＣに保つことができ、次に放出される紙幣ＢＬを詰まらせること無く集積紙幣ＢＬＳの上に集積させることができる。
【０１０９】
特に集積紙幣ＢＬＳが集積されていた場合、紙幣ＢＬは、放出部２２により付与された勢いや重力等の影響により、集積ガイド２５０に対し前端部分が下方へ滑り、集積紙幣ＢＬＳと集積ガイド２５０との間に潜り込もうとする場合がある。
【０１１０】
これに対しビルストッパ２５２は、形成されている段差に紙幣ＢＬの前端を引っ掛けることができるので、放出された紙幣ＢＬの前端部分を集積紙幣ＢＬＳと集積ガイド２５０との間に潜り込ませることがない。
【０１１１】
この結果、リジェクトカセット２１６は、新たに放出された紙幣ＢＬを集積紙幣ＢＬＳの最上面に重ねた状態に、すなわち当該集積紙幣ＢＬＳを集積方向である上下方向に沿って整然と集積した状態に維持することができる。
【０１１２】
ところで、例えば図１３に示した従来のリジェクトカセット５１６においては、紙幣突当部５４０の後面側に、ビルストッパ２５２と同様のビルストッパ（図示せず）を設けることも考えられる。
【０１１３】
このビルストッパを設けたリジェクトカセット５１６では、放出部２２から放出された紙幣ＢＬが、集積台３１の集積面３１Ｓ又は集積紙幣ＢＬＳの最上面に沿って前下方へ進行し、前側部２１Ａの後面に設けられたビルストッパに当接する。
【０１１４】
これにより従来のリジェクトカセット５１６では、第３の実施の形態によるリジェクトカセット２１６と同様、紙幣ＢＬの前端部分がビルストッパの下方へ滑降して集積紙幣ＢＬＳとビルストッパとの間に潜り込むことを未然に防止できる。
【０１１５】
しかしながら従来のリジェクトカセット５１６では、集積紙幣ＢＬＳの重量増加に伴って集積台３１を下降させる際、当該集積紙幣ＢＬＳの前端をビルストッパに対し下方へ摺動させることになる。これにより従来のリジェクトカセット５１６では、集積紙幣ＢＬＳがビルストッパに引っかかり十分に下降させることができない場合があり、このとき集積紙幣ＢＬＳの最上面と上部ガイド２９との間隔を集積間隔ＤＣよりも狭くしてしまい、放出部２２から放出される紙幣ＢＬを詰まらせる可能性を大幅に高めていた。
【０１１６】
これに対し第３の実施の形態によるリジェクトカセット２１６では、集積台３１と一体に上下方向へ移動する集積ガイド２５０の後面にビルストッパ２５２を設けている。このためリジェクトカセット２１６は、その構造上、集積台３１の下降時に集積紙幣ＢＬＳとビルストッパ２５２とを摺動させることが無いため、当該集積台３１及び集積紙幣ＢＬＳを極めて円滑に下降させることができる。
【０１１７】
これを換言すれば、リジェクトカセット２１６では、集積ガイド２５０の後面にビルストッパ２５２を設けたことにより、紙幣ＢＬが集積紙幣ＢＬＳと集積ガイド２５０との間に潜り込むことの防止と、集積台３１及び集積紙幣ＢＬＳの円滑な下降とを高い次元で両立させることができる。
【０１１８】
以上の構成によれば、第３の実施の形態によるリジェクトカセット２１６は、放出部２２から放出された紙幣を、水平面に対し傾斜された集積面３１Ｓ又は集積紙幣ＢＬＳ上で前下方へ進行させ、集積台３１の前端に取り付けられた集積ガイド２５０に当接させる。このときリジェクトカセット２１６は、ビルストッパ２５２により紙幣ＢＬの前端を滑らせること無く集積紙幣ＢＬＳの最上面に重畳し、当該集積紙幣ＢＬＳを集積ガイド２５０により支持しながら集積面３１Ｓ上に保持する。このためリジェクトカセット２１６は、集積紙幣ＢＬＳの重量増加に伴って集積台３１を当該集積紙幣ＢＬＳと共に下降させる際に、当該集積紙幣ＢＬＳを集積ガイド２５０や筐体２１の前側部２１Ａに対して摺動させることが無く、摩擦力の発生を阻止して円滑に下降させることができる。
【０１１９】
［４．第４の実施の形態］
第４の実施の形態では、第１の実施の形態によるリジェクトカセット１６に代えて、図３及び図４とそれぞれ対応する図１０及び図１１並びに図１２に示すリジェクトカセット３１６が用いられる。
【０１２０】
リジェクトカセット３１６は、第１の実施の形態によるリジェクトカセット１６と比較して、４本の紙幣突当部３４０を有する点が相違するものの、２本の集積ガイド５０を有する点を含めて他の部分については同様に構成されている。
【０１２１】
紙幣突当部３４０は、図１１に示したように、全体として上下方向に長く、左右方向に短く、且つ前後方向に薄い直方体状に構成されている。この紙幣突当部３４０は、基板３４１と、低摩擦材３４２と、ビルストッパ３４３とにより構成されている。
【０１２２】
基板３４１は、上下方向に長く、左右方向に短く、且つ前後方向に薄い直方体状ないし板状に形成され、上部ガイド２９の下端付近から筐体２１の下端近傍にかけて、上下方向に比較的長い範囲を占めている。また基板３４１は、強度が比較的高く、容易に変形しないようになされている。
【０１２３】
低摩擦材３４２は、基板３４１の後面、すなわち集積台３１及び集積紙幣ＢＬＳと対向する面のうち、上端（すなわち上部ガイド２９の下端付近）からおおむね集積間隔ＤＣの範囲となる上端近傍を除いた部分に貼り付けられている。低摩擦材３４２は、その後面における摩擦係数が小さく抑えられている。
【０１２４】
滑落防止部としてのビルストッパ３４３は、基板３４１の後面における上端近傍、すなわち上部ガイド２９の下端付近からおおむね集積間隔ＤＣの範囲に設けられている。ビルストッパ３４３の後面部分は、第３の実施の形態におけるビルストッパ２５２と同様、左右方向への投影形状を鋸歯状とするように、すなわち上下方向に関し小さな段差が繰り返し出現するような形状に形成されている。
【０１２５】
また紙幣突当部３４０は、低摩擦材３４２の後面と集積台３１における前側の端面との間に所定の隙間を形成するよう、その取付位置が調整されている。
【０１２６】
以上の構成において、第４の実施の形態によるリジェクトカセット３１６は、集積台３１の水平面に対し集積面３１Ｓを前方へ傾斜させると共に、その前端に集積ガイド５０を取り付けた。またリジェクトカセット３１６は、筐体２１の前側部２１Ａに、集積台３１の前端部と隙間を空けるように紙幣突当部３４０を設けた。
【０１２７】
リジェクトカセット３１６は、搬送部１３から紙幣ＢＬが搬送されると、放出部２２によりこれを下方へ搬送した上で内部空間２１Ｓ内へ放出する。
【０１２８】
ここで放出された紙幣ＢＬは、その先端を集積台３１の集積面３１Ｓ又は集積紙幣ＢＬＳの最上面に当接させ、傾斜面の下側である前下方へ向ける。続いて紙幣ＢＬは、放出部２２により放出された際の勢い及び重力の作用により、集積面３１Ｓ又は集積紙幣ＢＬＳの最上面に沿って前下方へ進行し、前端に取り付けられた集積ガイド５０に当接して静止する。これにより紙幣ＢＬは、集積面３１Ｓ又は集積紙幣ＢＬＳの上に集積され、当該集積紙幣ＢＬＳの一部となる。
【０１２９】
集積台３１上の集積紙幣ＢＬＳは、集積面３１Ｓが傾斜されているため、当該集積面３１Ｓに対し常に前下方へ滑り降りようするものの、集積ガイド５０に支持されるため、当該集積面３１Ｓ上に集積された状態に止まる。
【０１３０】
また集積スプリング３３は、集積台３１上の集積紙幣ＢＬＳの重量が増加したことにより圧縮され、当該集積台３１及び集積紙幣ＢＬＳを下降させようとする。このとき集積紙幣ＢＬＳは、集積ガイド５０により支持されているため、集積面３１Ｓ上から前下方へ滑り落ちること無く、また筐体２１の前側部２１Ａに当接することも無く、円滑に下降することができる。
【０１３１】
ところで集積ガイド５０は、理想的には、できるだけ上下方向に長く形成されることにより、集積面３１Ｓ上に集積可能な最大枚数の集積紙幣ＢＬＳが集積された場合にも、全ての集積紙幣ＢＬＳの前端部分を当該集積ガイド５０の後面に当接させて支持することが望ましい。
【０１３２】
しかしながら実際の集積ガイド５０は、筐体２１の外部へ飛び出ることなく集積台３１と一体に上下方向へ移動しなければならないため、上下方向に十分な長さを確保できないことがある。
【０１３３】
このためリジェクトカセット３１６では、図１０（Ｂ）に示したように、集積台３１の集積面３１Ｓ上に紙幣ＢＬを集積することにより、集積紙幣ＢＬＳにおける前側の一部分が集積ガイド５０の上端よりも高くなることがある。
【０１３４】
この場合、集積紙幣ＢＬＳを構成する紙幣ＢＬのうち前端が集積ガイド５０の上端よりも高い位置にあるものは、当該集積ガイド５０による支持を受けることができず、前下方へ進行し、紙幣突当部３４０に当接して支持される。
【０１３５】
このためリジェクトカセット３１６は、集積紙幣ＢＬＳの重量増加に伴い集積スプリング３３が圧縮されて集積台３１と共に下降する際、当該集積紙幣ＢＬＳのうち一部の紙幣ＢＬを紙幣突当部３４０に摺動させることになる。
【０１３６】
このときリジェクトカセット３１６は、紙幣突当部３４０の後面に貼り付けられた低摩擦材３４２の作用により、この一部の紙幣ＢＬとの間に摩擦力を殆ど生じること無く、円滑に下降させることができる。
【０１３７】
またリジェクトカセット３１６は、放出部２２から放出された紙幣ＢＬの先端を、集積紙幣ＢＬＳの前端における最上面が集積ガイド５０の上端よりも高いときに、紙幣突当部３４０のビルストッパ３４３に当接させることができる。
【０１３８】
これによりリジェクトカセット３１６は、この紙幣ＢＬの先端を集積紙幣ＢＬＳの前面と低摩擦材３４２又は集積ガイド５０の後面との間に潜り込ませること無く、この紙幣ＢＬを集積紙幣ＢＬＳの最上面に載置した状態に維持することができる。
【０１３９】
そのうえ紙幣突当部３４０は、後面のうち、上部ガイド２９の下端付近からおおむね集積間隔ＤＣの範囲にのみビルストッパ３４３を設け、それ以外の部分に低摩擦材３４２を貼り付けた。
【０１４０】
このため紙幣突当部３４０は、放出部２２から放出された紙幣ＢＬにおける前下方向へ進行しようとする勢いをビルストッパ３４３により抑え込むことと、集積台３１と共に下降する集積紙幣ＢＬＳの一部との間に生じる摩擦を低摩擦材３４２により低減させることとを、高い次元で両立させることができる。
【０１４１】
以上の構成によれば、第４の実施の形態によるリジェクトカセット３１６は、集積台３１の集積面３１Ｓを水平面に対し前方へ傾斜させると共に、その前端に集積ガイド５０を取り付けた。またリジェクトカセット３１６は、筐体２１の前側部２１Ａに、集積台３１の前端部と隙間を空けるように紙幣突当部３４０を設け、その後面における上端近傍以外の部分に低摩擦材３４２を貼り付けた。これによりリジェクトカセット３１６は、集積紙幣ＢＬＳを集積ガイド５０により支持して集積面３１Ｓ上に保持し、集積台３１を集積紙幣ＢＬＳと共に下降させる際に、筐体２１の前側部２１Ａに対する摩擦力の発生を阻止でき、集積紙幣ＢＬＳの集積枚数が増加して最上面が集積ガイド５０の上端を超えた場合には、その前端を紙幣突当部３４０の低摩擦材３４２に当接させて円滑に下降させることができる。
【０１４２】
［５．他の実施の形態］
なお上述した第１の実施の形態においては、集積ガイド５０を細長い直方体状とし、集積台３１の前面に当該集積ガイド５０の下端近傍を取り付けるようにした場合について述べた。
【０１４３】
しかしながら本発明はこれに限らず、例えば集積ガイド５０の下端近傍を後方へ向けて略Ｌ字状に折り曲げ、この折り曲げられた部分を集積台３１の下面に取り付けるようにしても良い。すなわち集積ガイド５０は、集積台３１のいずれかの箇所に取り付けられることにより、当該集積ガイド５０のうち集積紙幣ＢＬＳの前端と対向する面（すなわち集積対向面）を、集積台３１の前端又はその近傍の上側（すなわち紙幣を集積する方向）に位置させて、集積紙幣ＢＬＳの前端と当接して支持することができれば良い。第２〜第４の実施の形態についても同様である。
【０１４４】
また上述した第２の実施の形態においては、集積ガイド１５０のローラ１５２を筐体２１の前側部２１Ａから引き離しておき、集積台３１が傾いた場合又は前方へ移動した場合にのみ当該ローラ１５２を前側部２１Ａに当接させるようにした場合について述べた。
【０１４５】
しかしながら本発明はこれに限らず、例えば集積ガイド１５０のローラ１５２を筐体２１の前側部２１Ａに常に当接させるようにしても良い。これにより、移動軸３２が撓むことや集積台３１が傾斜角度θからさらに傾くことを未然に防止できるので、移動ガイド３１Ａと移動軸３２との間における摩擦の増加を防止することができ、集積台３１をさらに円滑に下降させることが可能となる。
【０１４６】
さらに上述した第３の実施の形態においては、集積ガイド２５０の後面（すなわち集積対向面）に設けるビルストッパ２５２を、左右方向への投影形状が鋸歯状となるような段差状とする場合について述べた。
【０１４７】
しかしながら本発明はこれに限らず、例えば周知の凹凸形状とする等、紙幣ＢＬの前端部分に対する摩擦が大きく、当該紙幣ＢＬが集積紙幣ＢＬＳと集積ガイド２５０との隙間に滑落することを防止できるような種々の形状としても良い。第４の実施の形態におけるビルストッパ３４３についても同様である。或いは、傾斜角度θが比較的小さい場合等、紙幣ＢＬの前端が集積紙幣ＢＬＳと低摩擦材３４２又は集積ガイド５０の後面との隙間に滑落する可能性が低い場合には、紙幣突当部３４０からビルストッパ３４３を省略しても良い。
【０１４８】
さらに上述した第１の実施の形態においては、リジェクトカセット１６に２本の集積ガイド５０を設けるようにした場合について述べた。
【０１４９】
しかしながら本発明はこれに限らず、リジェクトカセット１６に１本又は３本以上の集積ガイド５０を設けるようにしても良い。また各集積ガイド５０については、同一形状である必要は無く、例えば左右方向或いは上下方向の長さを互いに相違させても良い。第２及び第３の実施の形態についても同様である。
【０１５０】
これと同様に、第４の実施の形態においては、リジェクトカセット３１６に１本又は３本以上の集積ガイド５０を設けても良く、また３本以下若しくは５本以上の紙幣突当部３４０を設けても良い。
【０１５１】
さらに上述した第１の実施の形態においては、集積スプリング３３の弾性力を利用し、集積台３１の集積面３１Ｓ上に集積された集積紙幣ＢＬＳの重量に応じて当該集積台３１及び集積紙幣ＢＬＳを下降させるようにした場合について述べた。
【０１５２】
しかしながら本発明はこれに限らず、例えば集積スプリング３３を省略すると共に、図示しないアクチュエータ、各種ギアやベルト等の組み合わせにより集積台駆動部を構成し、この集積台駆動部により集積台３１を上下方向へ移動させるようにしても良い。第２〜第４の実施の形態についても同様である。
【０１５３】
さらに上述した第１の実施の形態においては、集積台３１の集積面３１Ｓ上における集積の集積方向及び当該集積台３１の移動方向を、いずれも上下方向、すなわち鉛直方向とする場合について述べた。
【０１５４】
しかしながら本発明はこれに限らず、例えば集積方向及び集積台３１の移動方向を上下方向（鉛直方向）に対し前後又は左右に所定角度傾いた方向とするようにしても良い。第２〜第４の実施の形態についても同様である。
【０１５５】
さらに本発明は、上述した各実施の形態及び他の実施の形態に限定されるものではない。すなわち本発明は、上述した各実施の形態と上述した他の実施の形態の一部又は全部を任意に組み合わせた実施の形態や、一部を抽出した実施の形態にもその適用範囲が及ぶものである。
【０１５６】
さらに上述した第１の実施の形態においては、顧客との間で現金に関する取引処理を行う現金自動預払機１において、再利用すべきでないと鑑別された紙幣ＢＬを収納するリジェクトカセット１６に本発明を適用するようにした場合について述べた。
【０１５７】
しかしながらこれに限らず、例えば再利用すべき紙幣を収納する紙幣カセット１７等、紙幣を収納する種々の箇所に本発明を適用するようにしても良い。この場合、紙幣ＢＬを集積する集積台が水平面に対して傾斜角度θだけ傾斜していれば、本発明を適用することができる。第２〜第４の実施の形態についても同様である。
【０１５８】
さらに上述した第１の実施の形態においては、媒体としての紙幣を取り扱う現金自動預払機１において当該紙幣を集積して収納するリジェクトカセット１６に本発明を適用する場合について述べた。
【０１５９】
しかしながら本発明はこれに限らず、例えば金券や証券、或いは入場券や葉書等、種々の紙葉状の媒体を取り扱う種々の装置において当該媒体を集積して収納する箇所に本発明を適用するようにしても良い。第２〜第４の実施の形態についても同様である。
【０１６０】
さらに上述した第１の実施の形態においては、放出部としての放出部２２と、集積台としての集積台３１と、集積台移動部としての移動ガイド３１Ａ、移動軸３２及び集積スプリング３３と、集積ガイドとしての集積ガイド５０とによって媒体収納装置としてのリジェクトカセット１６を構成する場合について述べた。
【０１６１】
しかしながら本発明はこれに限らず、その他種々の構成でなる放出部と、集積台と、集積台移動部と、集積ガイドとによって媒体収納装置を構成するようにしても良い。
【０１６２】
さらに上述した第１の実施の形態においては、取得部としての入出金部１２と、搬送部としての搬送部１３と、放出部としての放出部２２と、集積台としての集積台３１と、集積台移動部としての移動ガイド３１Ａ、移動軸３２及び集積スプリング３３と、集積ガイドとしての集積ガイド５０とによって媒体取引装置としての現金自動預払機１を構成する場合について述べた。
【０１６３】
しかしながら本発明はこれに限らず、その他種々の構成でなる取得部と、搬送部と、放出部と、集積台と、集積台移動部と、集積ガイドとによって媒体取引装置を構成するようにしても良い。
【産業上の利用可能性】
【０１６４】
本発明は、水平面に対し傾斜された集積台上に紙葉状の媒体を集積する種々の装置でも利用できる。
【符号の説明】
【０１６５】
１……現金自動預払機、１０……紙幣入出金機、１２……入出金部、１３……搬送部、１６、１１６、２１６、３１６……リジェクトカセット、１７……紙幣カセット、２１……筐体、２１Ａ……前側部、２１Ｓ……内部空間、２２……放出部、２９……上部ガイド、３１……集積台、３１Ａ……移動ガイド、３１Ｓ……集積面、３２……移動軸、３３……集積スプリング、５０、１５０、２５０……集積ガイド、１５１……基板、１５２……ローラ、２５２、３４３……ビルストッパ、３４０……紙幣突当部、３４２……低摩擦材、ＢＬ……紙幣、ＢＬＳ……集積紙幣、ＤＣ……集積間隔、θ……傾斜角度。
【図１】
2014219901.tif 000003
【図２】
2014219901.tif 000004
【図３】
2014219901.tif 000005
【図４】
2014219901.tif 000006
【図５】
2014219901.tif 000007
【図６】
2014219901.tif 000008
【図７】
2014219901.tif 000009
【図８】
2014219901.tif 000010
【図９】
2014219901.tif 000011
【図１０】
2014219901.tif 000012
【図１１】
2014219901.tif 000013
【図１２】
2014219901.tif 000014
【図１３】
2014219901.tif 000015